(57)【要約】      （修正有）【課題】フィルタエレメントの中心部分の内部に捕捉されたろ過済み液体を回収するための液体回収フィルタアセンブリの提供。【解決手段】フィルタの中心部分２３２と流体連通するベント２２２を含み、ベントは、ろ過運転に引き続いて開かれ、他ポートが閉じられた時に形成される流体固着現象またはシールを破壊する。これによって、下流側流路２２２がフィルタアセンブリ２１０の下部に延びる場合、ろ過済みの液体が、流出側流路２２０を経てフィルタの中心部分から流出できるようになり、従って、ろ過運転後にフィルタの中心部分内に残留する液体の回収が可能になる。他に、フィルタの流出部がフィルタの上部に配置され、フィルタの中心部分から延びる下流側のドレンポートを含む。下流側のドレンポートは、ベント又はパージポートが開かれる時に、ろ過済みの液体の回収を可能にするフィルタアセンブリ。【選択図】図２
2018058061.tif 000002
【特許請求の範囲】
【請求項１】
液体回収フィルタにおいて、
上端部と、前記上端部と反対側の下端部と、前記上端部および前記下端部の間に延びる
円筒状の外壁体であって内部の容積部を画定する外殻体とを有するフィルタと、
前記フィルタの外殻体の内部に配置されるフィルタエレメントであり、流入側と、流出
側中心部分とを有するフィルタエレメントであって、前記フィルタエレメントの流入側は
、前記フィルタの外殻体と前記フィルタエレメントとの間の前記フィルタの外殻体の内部
容積部と流体連通する、フィルタエレメントと、
前記フィルタの外殻体を貫通して配置される流入流路であって、前記フィルタの外殻体
と前記フィルタエレメントとの間の前記フィルタの外殻体の内部容積部と流体連通する流
入流路と、
前記フィルタの外殻体を貫通して配置される流出流路であって、前記フィルタエレメン
トの流出側の中心部分と流体連通する流出流路と、
前記フィルタの外殻体を貫通して配置される流出側ベント流路であって、前記フィルタ
エレメントの流出側の中心部分と流体連通する流出側ベント流路と、
前記フィルタの外殻体を貫通して配置される上流側ベント流路であって、前記フィルタ
の外殻体と前記フィルタエレメントとの間の前記フィルタの外殻体の内部容積部と流体連
通する上流側ベント流路と、
前記フィルタの外殻体を貫通して配置される上流側ドレン流路であって、前記フィルタ
の外殻体と前記フィルタエレメントとの間の前記フィルタの外殻体の内部容積部と流体連
通する上流側ドレン流路と、
を含むことを特徴とする液体回収フィルタ。
【請求項２】
請求項１に記載の液体回収フィルタにおいて、前記流出流路が前記フィルタの外殻体の
下端部を貫通して配置され、前記流出側ベント流路が前記フィルタの外殻体の上端部を貫
通して配置されることを特徴とする液体回収フィルタ。
【請求項３】
請求項１に記載の液体回収フィルタにおいて、前記流出流路が前記フィルタの外殻体の
上端部を貫通して配置され、前記流出側ベント流路が前記フィルタの外殻体の上端部を貫
通して配置され、流出側ドレン流路が前記フィルタの外殻体の下端部を貫通して配置され
、前記流出側ドレン流路は前記フィルタエレメントの流出側の中心部分と流体連通するこ
とを特徴とする液体回収フィルタ。
【請求項４】
請求項１に記載の液体回収フィルタにおいて、前記流入流路が前記フィルタの外殻体の
上端部を実質的に軸方向に貫通して配置され、前記流出流路が、前記フィルタの外殻体の
下端部を貫通して配置され、かつ前記フィルタエレメントと実質的に同軸に延びることを
特徴とする液体回収フィルタ。
【請求項５】
請求項１に記載の液体回収フィルタにおいて、前記流入流路が前記フィルタの外殻体の
上端部を実質的に半径方向に貫通して配置され、前記流出流路が前記フィルタの外殻体の
下端部を実質的に半径方向に貫通して配置されることを特徴とする液体回収フィルタ。
【請求項６】
請求項１に記載の液体回収フィルタにおいて、前記流入流路が前記フィルタの外殻体の
上端部を実質的に半径方向に貫通して配置され、前記流出流路が、前記フィルタの外殻体
の下端部を貫通して配置され、かつ前記フィルタエレメントと実質的に同軸に延びること
を特徴とする液体回収フィルタ。
【請求項７】
請求項１に記載の液体回収フィルタにおいて、前記流入流路が前記フィルタの外殻体の
上端部を実質的に半径方向に貫通して配置され、前記流出流路が、前記フィルタの外殻体
の上端部を実質的に半径方向に貫通して前記流入流路の実質的に反対側に配置され、流出
側ドレン流路が前記フィルタの外殻体の下端部を貫通して配置され、前記流出側ドレン流
路は、前記フィルタエレメントの流出側の中心部分と流体連通することを特徴とする液体
回収フィルタ。
【請求項８】
請求項１に記載の液体回収フィルタにおいて、前記流入流路が前記フィルタの外殻体の
下端部を実質的に半径方向に貫通して配置され、前記流出流路が、前記フィルタの外殻体
の上端部を実質的に半径方向に貫通して前記流入流路のほぼ直径の反対側に配置され、流
出側ドレン流路が前記フィルタの外殻体の下端部を貫通して配置され、前記流出側ドレン
流路は、前記フィルタエレメントの流出側の中心部分と流体連通することを特徴とする液
体回収フィルタ。
【請求項９】
請求項１に記載の液体回収フィルタにおいて、
前記流出側ベント流路に配置されるインライン気体フィルタと、
前記上流側ベント流路に配置されるインライン気体フィルタと、
をさらに含むことを特徴とする液体回収フィルタ。
【請求項１０】
液体回収フィルタにおいて、
上端部と、前記上端部と反対側の下端部と、前記上端部および前記下端部の間に延びる
円筒状の壁体とを有するフィルタの外殻体であって内部の容積部を画定する外殻体と、
前記フィルタの外殻体の内部に配置されるフィルタエレメントであり、流入側と、流出
側中心部分とを有するフィルタエレメントであって、前記フィルタエレメントの流入側は
、前記フィルタの外殻体と前記フィルタエレメントとの間の前記フィルタの外殻体の内部
容積部と流体連通する、フィルタエレメントと、
前記フィルタの外殻体を貫通して配置される流入流路であって、前記フィルタの外殻体
と前記フィルタエレメントとの間の前記ファイルの外殻体の内部容積部と流体連通する流
入流路と、
前記フィルタの外殻体の下端部を貫通して配置される流出流路であって、前記フィルタ
エレメントの流出側の中心部分と流体連通する流出流路と、
前記ファイルの外殻体の上端部を貫通して配置される流出側ベント流路であって、前記
フィルタエレメントの流出側の中心部分と流体連通する流出側ベント流路と、
を含むことを特徴とする液体回収フィルタ。
【請求項１１】
請求項１０に記載の液体回収フィルタにおいて、
前記フィルタの外殻体を貫通して配置される上流側ベント流路であって、前記フィルタ
の外殻体と前記フィルタエレメントとの間の前記フィルタの外殻体の内部容積部と流体連
通する上流側ベント流路と、
前記フィルタの外殻体を貫通して配置される上流側ドレン流路であって、前記フィルタ
の外殻体と前記フィルタエレメントとの間の前記フィルタの外殻体の内部容積部と流体連
通する上流側ドレン流路と、
をさらに含むことを特徴とする液体回収フィルタ。
【請求項１２】
請求項１０に記載の液体回収フィルタにおいて、前記流入流路が前記フィルタの外殻体
の上端部を実質的に軸方向に貫通して配置され、前記流出流路が、前記フィルタの外殻体
の下端部を貫通して配置され、かつ前記フィルタエレメントと実質的に同軸に延びること
を特徴とする液体回収フィルタ。
【請求項１３】
請求項１０に記載の液体回収フィルタにおいて、前記流入流路が前記フィルタの外殻体
の上端部を実質的に半径方向に貫通して配置され、前記流出流路が前記フィルタの外殻体
の下端部を実質的に半径方向に貫通して配置されることを特徴とする液体回収フィルタ。
【請求項１４】
請求項１０に記載の液体回収フィルタにおいて、前記流入流路が前記フィルタの外殻体
の上端部を実質的に半径方向に貫通して配置され、前記流出流路が、前記フィルタの外殻
体の下端部を貫通して配置され、かつ前記フィルタエレメントと実質的に同軸に延びるこ
とを特徴とする液体回収フィルタ。
【請求項１５】
請求項１０に記載の液体回収フィルタにおいて、
前記流出側ベント流路に配置されるインライン気体フィルタと、
前記上流側ベント流路に配置されるインライン気体フィルタと、
をさらに含むことを特徴とする液体回収フィルタ。
【請求項１６】
液体回収フィルタにおいて、
上端部と、前記上端部と反対側の下端部と、前記上端部および前記下端部の間に延びる
円筒状の壁体とを有するフィルタの外殻体であって内部の容積部を画定する外殻体と、
前記フィルタの外殻体の内部に配置されるフィルタエレメントであり、流入側と、流出
側中心部分とを有するフィルタエレメントであって、前記フィルタエレメントの流入側は
、前記フィルタの外殻体と前記フィルタエレメントとの間の前記フィルタの外殻体の内部
容積部と流体連通する、フィルタエレメントと、
前記フィルタの外殻体を貫通して配置される流入流路であって、前記フィルタの外殻体
と前記フィルタエレメントとの間の前記フィルタの外殻体の内部容積部と流体連通する流
入流路と、
前記フィルタの外殻体の上端部を貫通して配置される流出流路であって、前記フィルタ
エレメントの流出側の中心部分と流体連通する流出流路と、
前記フィルタの外殻体の上端部を貫通して配置される流出側ベント流路であって、前記
フィルタエレメントの流出側の中心部分と流体連通する流出側ベント流路と、
前記フィルタの外殻体の下端部を貫通して配置される流出側ドレン流路であって、前記
フィルタエレメントの流出側の中心部分と流体連通する流出側ドレン流路と、
を含むことを特徴とする液体回収フィルタ。
【請求項１７】
請求項１６に記載の液体回収フィルタにおいて、
前記フィルタの外殻体を貫通して配置される上流側ベント流路であって、前記フィルタ
の外殻体と前記フィルタエレメントとの間の前記フィルタの外殻体の内部容積部と流体連
通する上流側ベント流路と、
前記フィルタの外殻体を貫通して配置される上流側ドレン流路であって、前記フィルタ
の外殻体と前記フィルタエレメントとの間の前記フィルタの外殻体の内部容積部と流体連
通する上流側ドレン流路と、
をさらに含むことを特徴とする液体回収フィルタ。
【請求項１８】
請求項１６に記載の液体回収フィルタにおいて、前記流入流路が前記フィルタの外殻体
の上端部を実質的に半径方向に貫通して配置され、前記流出流路が、前記フィルタの外殻
体の上端部を実質的に半径方向に貫通して前記流入流路の実質的に反対側に配置されるこ
とを特徴とする液体回収フィルタ。
【請求項１９】
請求項１６に記載の液体回収フィルタにおいて、前記流入流路が前記フィルタの外殻体
の下端部を実質的に半径方向に貫通して配置され、前記流出流路が、前記フィルタの外殻
体の上端部を実質的に半径方向に貫通して前記流入流路のほぼ直径の反対側に配置される
ことを特徴とする液体回収フィルタ。
【請求項２０】
請求項１６に記載の液体回収フィルタにおいて、
前記流出側ベント流路に配置されるインライン気体フィルタと、
前記上流側ベント流路に配置されるインライン気体フィルタと、
をさらに含むことを特徴とする液体回収フィルタ。
【発明の詳細な説明】
【技術分野】
【０００１】
関連出願の相互参照
本願は、２０１２年４月３０日付で出願された米国特許出願第１３／４６０，５８３号
に対する優先権を主張するものであり、この米国特許出願の内容は、その全体が、参照に
よって本願に組み込まれる。
【０００２】
本開示は、概してろ過装置およびろ過システムに関し、特に具体的には、流入部および
流出部と、未ろ過およびろ過済みの液体をろ過運転後のフィルタハウジングおよび閉止フ
ィルタから排出および回収するためのベントおよびパージポートとを備えた液体回収フィ
ルタアセンブリに関する。
【背景技術】
【０００３】
広範囲の気体および液体を清浄化および精製するために、無数のろ過装置およびろ過シ
ステムが開発されてきた。極度に高品質のろ過を必要とする一分野は製薬分野である。製
薬分野においては、多数の薬物および薬剤を製造処理する場合に、いくつかの異なる液体
が関与してくる。これらの種々の液体は、多くの場合、製造に高いコストを要するので、
再利用に対して実用的である限り、製造過程の間においてそのような液体を無菌状態で回
収するために多大の努力が払われてきた。
【０００４】
このような液体の回収に使用される一手段は、種々のフィルタアセンブリを使用するも
のである。液体はフィルタアセンブリを通過し、精製された液体は、閉止されたフィルタ
エレメントの下流側または流出側から回収される。使用されるフィルタエレメントの一タ
イプにおいては、フィルタエレメントが従来通り一般的にトロイダル形の形態を有する。
未ろ過の液体はフィルタエレメントを外側から通過して、フィルタ材料を通り中空の内部
の中心部分に至る。但し、他のフィルタエレメントの形態も確実に可能である。このよう
なフィルタの形態に関する１つの問題点は、フィルタエレメントを交換する際に、一定量
の精製されたろ過済みの液体が、フィルタハウジングまたは外殻体の内部のフィルタエレ
メント内に残存し、かつ、フィルタエレメントの外側のフィルタハウジング内部には未ろ
過の液体が残留するという点である。これらの液体は、前記のように多くの場合非常に価
値あるものであり、フィルタエレメントおよび／または全フィルタアセンブリを周期的に
取り外して交換する際に、これらの液体を廃棄することは、ある時間期間においては、相
当量の価値ある再利用可能な液体の損失をもたらすことになる。
【０００５】
残存するろ過済みおよび未ろ過の液体を取り除くための一方法は、液体をフィルタアセ
ンブリから強制的に排除するための、システムの中への加圧気体の導入である。この方法
は、有効ではあるが、例えば製薬のような特定の用途に使用されるフィルタ材料の泡立ち
点が比較的高いことから問題になる。約０．１および０．２ミクロンの細孔径を有するフ
ィルタ材料の泡立ち点は比較的高く、流体を排除するのに比較的高い気体圧力を使用しな
ければならない。高圧の気体を導入すると、例えば、フィルタエレメントがその取り付け
点から分離され、または、フィルタエレメントが物理的に破壊されて、フィルタエレメン
トおよびフィルタアセンブリの物理的および機能的な完全性が損なわれる可能性がある。
これらのフィルタエレメントの分離や破壊などの現象は、未ろ過およびろ過済みの液体が
下流側で混合する結果をもたらし、ろ過済みの流体の意図された無菌性が損なわれる可能
性がある。さらに、例えば、ホース用のバーブ結合具を用いるアセンブリの場合には、比
較的高圧の気体の導入によって、ホースが破損したりまたはバーブ結合具から分離したり
する可能性が生じる。
【０００６】
フィルタ装置から価値あるろ過済みおよび未ろ過の液体を無菌状態において取り出す手
段を備えたフィルタ回収システムが必要である。さらにまた、フィルタアセンブリ内部の
上流側位置および下流側位置における流体の無菌性を保持しながら、残存するろ過済みお
よび未ろ過の流体を有効に取り出すために、比較的低圧で適用される気体を使用できるフ
ィルタ回収システムが必要である。これらおよび他の問題点が、以下に記述するように、
本開示の液体回収フィルタ装置によって解決される。
【発明の概要】
【０００７】
本明細書において開示する液体回収フィルタアセンブリはいくつかの実施形態を含み、
その各実施形態はフィルタハウジングまたは外殻体を含み、その中にフィルタエレメント
が保持される。すべての実施形態は、外殻体の上流側または流入側の中に延び込む流入ポ
ートと、いくつかのフィルタエレメント構成体の中心部分またはフィルタエレメントの下
流側部分から延び出る流出部とを有する。「流入部（ｉｎｌｅｔ）」、「流入側（ｉｎｌ
ｅｔ  ｓｉｄｅ）」、「上流側（ｕｐｓｔｒｅａｍ、ｕｐｓｔｒｅａｍ  ｓｉｄｅ）」と
いう用語および類似の用語は、すべて、装置の流入部分に位置するフィルタアセンブリの
部分または容積部、すなわち、フィルタハウジングまたは外殻体とフィルタエレメントの
外表面との間の部分または容積部であって、フィルタアセンブリの運転の間未ろ過の液体
を保有する部分または容積部のことを言う。また、「流出部（ｏｕｔｌｅｔ）」、「流出
側（ｏｕｔｌｅｔ  ｓｉｄｅ）」、「下流側（ｄｏｗｎｓｔｒｅａｍ、ｄｏｗｎｓｔｒｅ
ａｍ  ｓｉｄｅ）」という用語および類似の用語は、すべて、中心部分を有するフィルタ
エレメント用のフィルタエレメントの中心部分の内部に位置するフィルタアセンブリの容
積部、あるいは、フィルタアセンブリの運転の間にフィルタエレメントを通過したろ過済
み液体を保有するフィルタエレメントの下流側端部または下流側に位置するフィルタアセ
ンブリの容積部のことを言う。フィルタエレメントは、アセンブリの上流側または流入側
と下流側または流出側との間の液体透過性の遮蔽を画定する。従って、全液体は、フィル
タアセンブリの指定された流入ポートから指定された流出ポートにフィルタエレメントを
通過しなければならない。
【０００８】
フィルタハウジングまたは外殻体は、また、上流側または流入側のベントまたはパージ
ポートまたは流路と、上流側または流入側のドレンポートまたは流路とを有する。これら
２つの上流側ポートまたは流路は、フィルタの外殻体またはハウジングの外側部分からの
、未ろ過の液体、すなわち、フィルタの上流側または流入側から下流側または流出側にフ
ィルタエレメントを通過しなかった液体の排出を可能にする。
【０００９】
液体回収フィルタの各実施形態は、さらに、フィルタエレメントの内部または下流側の
中心部分または下流側端部／下流側と流体連通する下流側または流出側のベントまたはパ
ージポートまたは流路を含む。この下流側または流出側のパージポートは、通常は、ろ過
運転の間閉止されているが、ろ過運転が完了すると開放される。この下流側ベントまたは
パージポートの開放によって、空気または他の気体が、フィルタエレメントの中心部分ま
たは下流側端部／下流側の中に流入し得るようになり、従って、流入および流出弁または
ポートが閉止された時に、フィルタエレメントの中心部分または下流側端部／下流側の内
部に形成される「シール」または流体固着現象が破壊される。これによって、フィルタエ
レメントの中心部分または下流側端部／下流側の内部に含有される価値あるろ過済み液体
が、回収および再利用用としてフィルタアセンブリから流出し得るようになる。
【００１０】
本明細書においては、液体回収フィルタの２つの基本的な形態を開示する。１つは、下
流側または流出側のポートがフィルタアセンブリの底部に配置される形態であり、もう１
つは、その下流側または流出側のポートがアセンブリの頂部またはその近傍に配置される
形態である。第２の形態は、液体がフィルタエレメントの中心部分または下流側端部から
重力によって流出できるように、アセンブリの底部に、付加的な下流側ドレンポートまた
は流路を含む。第１の基本形態、すなわち、主流出ポートまたは流路がフィルタエレメン
トの下部に配置される形態は、３つの異なる実施形態を含むが、この３つの実施形態は、
主要な流入および流出ポートまたは流路の位置または配置が異なる点で異なっている。第
２の基本形態、すなわち、主流出ポートまたは流路が、フィルタアセンブリの頂部または
上部部分から延び出る形態は、２つの付加的な実施形態を含むが、この２つの実施形態も
、主要な流入および流出ポートまたは流路の配置が異なる点で異なっている。しかし、本
明細書に開示される各実施形態は、フィルタエレメントの中心部分または下流側端部／下
流側からろ過済み液体を排出する手段を含んでいる。
【００１１】
また、ろ過運転後に残存する未ろ過およびろ過済み流体を無菌状態で装置から取り出す
ために、ベントおよびパージポートの再割り当てによって、フィルタアセンブリの中に流
体を逆方向に導入することを可能にするポート／弁の形態および設定も開示される。本開
示のこれらおよび他の特徴は、以下の図面および詳細説明をさらに検討することによって
容易に明らかになるであろう。
【図面の簡単な説明】
【００１２】
【図１】図１は、本開示の一態様による液体回収フィルタの第１実施形態の正面図であって、その一般的な外部形態を示す。
【図２】図２は、一般的なインライン流路を有する本開示の別の態様による液体回収フィルタの縦断面図であって、その内部形態を示す。
【図３】図３は、一般的なＣ字形の流路を有する本開示のさらに別の態様による液体回収フィルタの縦断面図であって、その内部形態を示す。
【図４】図４は、一般的なＬ字形の流路を有する本開示のさらに別の態様による液体回収フィルタの縦断面図であって、その内部形態を示す。
【図５】図５は、一般的なＴ字形の流路を有する本開示のさらに別の態様による液体回収フィルタの縦断面図であって、その内部形態を示す。
【図６】図６は、一般的なＳ字形の流路を有する本開示のさらに別の態様による液体回収フィルタの縦断面図であって、その内部形態を示す。
【発明を実施するための形態】
【００１３】
図面において、類似の参照符号は、添付の全図面を通して一貫して対応する形体を指示
していることが理解されるべきである。
【００１４】
液体回収フィルタはいくつかの実施形態を含み、各実施形態は、ろ過運転完了後に、例
えば１バッチがろ過された場合および／またはフィルタエレメントを変えなければならな
い場合などに、フィルタの外殻体またはハウジング内部およびフィルタエレメント内部の
液体を回収するように構成される。液体回収フィルタの種々の実施形態のフィルタの外殻
体またはハウジングは、（それらの種々の流入および流出ポートまたは流路を除いて）恒
久的にシールされた構造のものとして図示されているが、フィルタの外殻体またはハウジ
ングは、交換または清浄化および再利用のために、その中のフィルタエレメントにアクセ
ス可能な再利用可能ユニットとして構成し得ることが理解されるべきである。
【００１５】
図１を参照すると、液体回収フィルタアセンブリが、全体として符号１１０で示されて
いる。液体回収フィルタまたはフィルタアセンブリ１１０は、外側の円筒状の壁体１１２
の他に、上端部または流入端部１１４と、反対側の下端部または流出端部１１６とを有す
る外側のフィルタ外殻体またはハウジング１１２を含む。通常、フィルタアセンブリ１１
０は、流入端部１１４が流出端部１１６の上部に配置される図１に示す方位に設置される
であろう。フィルタアセンブリ１１０は、上流側または流入側の流路またはポート１１８
と、装置からのろ過済み液体の流れのための、一般的に反対側の下流側または流出側の流
路またはポート１２０と、フィルタアセンブリの流出側へのベントとして、すなわち、ハ
ウジングまたは外殻体１１２の内部に保持されるフィルタエレメントの内部容積部へのベ
ントとして機能する流出側のベント流路１２２と、外殻体またはハウジング１１２とその
中のフィルタエレメントとの間の装置の内部容積部と連通する上流側のベント流路１２４
と、外殻体１１２と内部フィルタとの間の内部容積部から液体を排出するための上流側ド
レン流路１２６とを含む。
【００１６】
液体回収装置のすべての実施形態は、これらの種々のベント、ポートおよび流路を含む
が、種々のベント、ポートおよび流路の関係および方位は、異なる実施形態において異な
るように配置される。いくつかの実施形態は、他のポートおよび流路の特定の配置または
方位を受け入れるための付加的なポートまたは流路をも含む。さらに、ポートおよび関連
する弁の運転状態および設定は変えることができ、再割り当てされたポートは、アセンブ
リを通る流体の流れの逆転を可能にするように機能する。図１の液体回収フィルタアセン
ブリ１１０の種々のポートおよび流路１１８〜１２６の配置および方位は、以下に説明す
る図４の液体回収フィルタの実施形態に最もよく似ている。さらに、フィルタアセンブリ
１１０は比較的高くかつ狭い形態を有するように示されているが、その中に保持されるフ
ィルタエレメントの形状および構成と、種々の流入および流出ポートまたは流路の配置と
、他の因子とに応じて、他の形態を提供し得ることが理解されるべきである。フィルタア
センブリ１１０の種々のポートおよび流路用の種々の継手および結合具（図においてはバ
ーブ結合具およびクイック結合具として示されている）は、当分野において従来通りのも
のである。
【００１７】
図２を参照すると、液体回収フィルタの別の態様が、全体的としてフィルタアセンブリ
２１０で示されている。フィルタアセンブリ２１０は、図１のフィルタアセンブリ１１０
より大幅に短くかつ幾分幅広であるが、図示のいずれのフィルタの実施形態の長さおよび
幅も、例示目的用のものであって限定するものではなく、意図される用途および運転環境
に従ってその中に搭載されるフィルタエレメントの形態に応じて決定されるであろうこと
が理解されるべきである。フィルタアセンブリ２１０は、流入端部２１４と、反対側の流
出端部２１６とを有するハウジングまたは外殻体２１２を含む。流入流路２１８は、外殻
体２１２の流入端部２１４から、フィルタの流入端部および流出端部によって規定される
フィルタの長さに軸方向において平行に延びている。流出流路２２０は、外殻体２１２の
反対側の下部の流出端部２１６から（フィルタと）同軸に延びている。流出側ベント流路
２２２が、フィルタの外殻体またはハウジング２１２の上部の流入端部２１４から延びて
いる。
【００１８】
流出側ベント流路２２２は、以下に詳述するように、ハウジングまたは外殻体２１２の
内部に配置されるフィルタの流出部分または中心部分と連通している。上流側ベント流路
２２４も外殻体２１２の流入端部２１４から延びているが、このベント流路２２４は、フ
ィルタエレメントを取り巻くフィルタ外殻体２１２の内部容積部を通気するためのもので
ある。最後に、外殻体２１２と内部フィルタとの間の内部容積部から液体を排出するため
の上流側ドレン流路２２６が、外殻体２１２の流出端部２１６から延びている。この一般
的な外部形態は、流入流路２１８および上流側ドレン流路２２６の方位を除いて、図１の
フィルタアセンブリ１１０と類似している。
【００１９】
フィルタの外殻体またはハウジング２１２は、フィルタエレメント２３０がその中に配
置される内部容積部２２８を画定する。フィルタエレメントは一般的にトロイダル形の形
態と、中空の流出側中心部分２３２とを有することが望ましい。フィルタエレメント２３
０は、任意の規則的または不規則な形状および形態、例えば、ひだ付き、中空糸、チュー
ブ状、積層ディスクとすることができること、および、種々の材料、例えば、異なる孔隙
率を有するポリマー、セラミック、または金属膜、疎水膜、親水膜、およびこれらの組合
せから形成することができること、および、これらは、本開示において特許請求されるフ
ィルタアセンブリの実施形態の範囲および本質に含まれることが理解されるべきである。
また、例えば中空糸およびチューブ状材料製のフィルタエレメントの場合には、「中心部
分」がなく、集合的に本開示における中心部分として機能する一連の管腔が存在すること
が理解されるべきである。さらに、フィルタ２３０は、任意の本開示のフィルタハウジン
グ内に、熱接合または超音波接合、接着剤、Ｏリングシール、および、これらの方法の任
意の組合せによって、並びに、ハウジング内におけるフィルタの固定に用いられる当分野
において周知の任意の他の方法によって固定し得ることが理解されるべきである。
【００２０】
フィルタの外殻体またはハウジング２１２と、その中に保持されるフィルタエレメント
２３０とは、フィルタの外殻体２１２と、液体透過フィルタエレメント２３０の外面との
間の上流側または流入側容積部分２３４を画定する。未ろ過の液体が、上流側または流入
側の流路２１８からフィルタアセンブリ２１０の上流側容積部２３４に流入し、液体透過
フィルタエレメント２３０を通過して、フィルタエレメント２３０の中空の流出側中心部
分２３２に至り、続いて、ろ過済み液体として、流出ポート２２０を通ってフィルタ２１
０から流出する。
【００２１】
さらに、種々の流路またはポート２１８〜２２６のそれぞれはその中に弁を含むことに
留意するべきである。この弁は、それぞれ、弁２１８ｖ〜２２６ｖとして示されている。
図２においては、弁２１８ｖ〜２２６ｖを模式的に示しているが、この弁は、当分野にお
いて既知でありかつ使用される任意の適切なタイプの弁とすることができる。通常のろ過
運転の間、流入弁２１８ｖおよび流出弁２２０ｖのみが開かれ、他の３つの弁２２２ｖ、
２２４ｖおよび２２６ｖは閉じられたままである。このポート構成によって、フィルタア
センブリ２１０を通過する液体は、上流側または流入側容積部２３４から、透過フィルタ
エレメント２３０を通って、フィルタエレメント２３０の中空の中心部分２３２の中にろ
過済み液体として流入し、その後、下流側または流出側のポートまたは流路２２０を通っ
て、フィルタアセンブリ２１０から流出する。
【００２２】
上記の運転は、運転が本質的に連続的に行われる限り、液体の回収について何ら問題を
生じない。しかし、何らかの理由で液体の流れを中断しなければならない場合、例えば、
液体供給ラインまたは流路を清浄化するため、液体のバッチを変更するため、フィルタま
たはフィルタエレメントを交換するため、またはその他のために、液体の流れを中断しな
ければならない場合には、フィルタアセンブリ２１０を通過する液体の流れを遮断しなけ
ればならない。これは、流入および流出流路弁２１８ｖおよび２２０ｖを閉じることによ
って容易に実施される。しかし、この弁の閉止によって、フィルタのハウジングまたは外
殻体２１２の内部に、未ろ過およびろ過済みの液体の両者が若干量残存することになる。
特に製薬産業においては、この液体は多くの場合非常に価値あるものなので、フィルタア
センブリ２１０を取り外しまたは交換する際にその残存する液体を廃棄すれば、それは相
当量の金銭的コストまたは損失を意味する。さらに、その液体が、生体有害物質であると
見做されるか、あるいは収容および／または廃棄に特殊な取り扱いを要する場合には、そ
のような液体を含有するフィルタの処分に関わる付加コストが生じる可能性がある。
【００２３】
本明細書に開示する液体回収フィルタアセンブリの種々の態様および実施形態は、ろ過
運転が終了した時に、フィルタのハウジングまたは外殻体から残存する液体を無菌状態で
排出する構造的手段を提供することによって、この問題に対処するように構成される。こ
れによって、フィルタ内部の価値ある液体を再利用のために回収することが可能になる。
これは、流出側ベント流路２２２と、上流側または流入側容積部ベント流路２２４と、上
流側または流入側容積部ドレン流路２２６とのいずれか１つ、またはいくつか、またはそ
のすべてを、順次におよび／または同時に開くことによって実現される。ろ過運転が終了
して、フィルタアセンブリ２１０の内部に捕捉された残留液体を排出しなければならない
場合、フィルタアセンブリ２１０を通る液体の流れを終了するために、主要な流入流路弁
２１８ｖが閉じられる。フィルタアセンブリ２１０の未ろ過の上流側または流入側容積部
分２３４内部に残留する未ろ過液体のろ過は、その未ろ過液体を、フィルタエレメント２
３０を強制的に通過させて、フィルタ流出流路２２０から処理済みまたはろ過済みの液体
として排出することによって実現される。
【００２４】
フィルタエレメント２３０に類似の従来型のフィルタエレメントの特性について短く記
述しておくことが妥当である。製薬産業の多くの分野において、同様に他の産業および操
作用として使用されるフィルタエレメントは、多くの場合、ミクロン未満サイズ（ｆｒａ
ｃｔｉｏｎａｌ  ｍｉｃｒｏｎ  ｓｉｚｅ）の程度の細孔を有する極端に微細細孔のろ過
膜を使用する。ろ過のレベルまたは程度は、多くの場合、フィルタの「泡立ち点（ｂｕｂ
ｂｌｅ  ｐｏｉｎｔ）」、すなわち、空気（または他の気体）を、強制的に湿潤フィルタ
エレメントを通過させるのに必要な差圧、に従って定量化される。一般的に、フィルタの
孔隙率が小さい程、泡立ち点は大きくなる。この圧力は、液体を、湿潤フィルタの細孔を
強制的に通過させるのに必要な圧力に等しい。細孔がさらに微細になると、フィルタアセ
ンブリの流入側および流出側の間に一層大きな差圧が必要になる。泡立ち点試験は、フィ
ルタエレメントの完全性の試験またはチェック用としても役立つ。製薬産業において使用
される多くのフィルタの泡立ち点は４５ｐｓｉ以上であり、高粘度の液体を、運転条件に
おいて比較的小さい細孔のフィルタを強制的に通過させるのに必要な圧力は遥かに大きく
なる。
【００２５】
この説明に留意すると、開示されたフィルタアセンブリに関しては、フィルタアセンブ
リ２１０の吸い込み状態を破壊するには、上流側のベント流路の弁２２４ｖを開くだけで
は不十分である。代わりに、残存する未ろ過の液体を、強制的にフィルタエレメント２３
０を通してフィルタアセンブリ２１０の流出流路２２０から排出するためには、さらに、
開かれた上流側ベント流路２２４に、空気（または他の気体）を十分な圧力において送入
しなければならない。上流側ベント流路２２４は、その中にインラインフィルタ２２５を
含むことができ、そのフィルタ２２５によって、そのベント流路２２４から導入される空
気または気体がフィルタエレメント２３０を通して強制排除する液体の汚染が防止される
。この方法によって、フィルタアセンブリ２１０内部のほとんどの未ろ過の液体が、ろ過
済みまたは処理済みの液体としてろ過されかつ回収され、これは、標準的なフィルタ操作
において実現される。
【００２６】
未ろ過の液体の回収が上記のように実行されると、直ちに、フィルタハウジング２１２
内においてフィルタエレメント２３０の外側に残留するいかなる未ろ過の液体も、上記の
液体回収方法によって相手側の上流側容積部のベント流路弁２２４ｖを開いたまま下部の
上流側容積部ドレン流路弁２２６ｖを開くことによって、フィルタアセンブリから除去さ
れる。この方法によって、上流側容積部のドレン流路２２６からの液体の流出を妨げる可
能性があるいかなる部分的な真空または吸い込み状態も解放され、いかなる未ろ過の残留
液体もフィルタのハウジングまたは外殻体２１２から自由に流出することが可能になる。
【００２７】
フィルタエレメント２３０の中心部分２３２内に残留する価値あるろ過済み液体は、フ
ィルタ２１０の反対側の端部における流出側ベント流路弁２２２ｖを開くことによって回
収される。流出流路２２０および関連するその弁２２０ｖは、前記の最初の液体回収操作
の場合と同様に開状態に維持される。これによって、フィルタエレメント２３０の中心部
分２３２内部の残留ろ過済み液体を、回収のためにフィルタアセンブリ２１０から排出で
きる。特に、液体の粘度が比較的高い場合、中心部分からの液体の除去を支援するために
、流出側ベント流路２２２からフィルタの中心部分２３２の中に、気体（適切なものとし
て、空気、窒素、二酸化炭素など）を導入することができる。付属品のドレンおよびベン
トポートを使用するので、残存流体を排除するのに必要な導入気体の圧力は、本開示のフ
ィルタアセンブリに付属品のドレンおよびベントポートが組み込まれない場合に必要な圧
力より低くなるであろう。下流側の流体の無菌での回収を確保するために、流出側ベント
流路２２２にインラインフィルタ２３６が装着され、そのフィルタ２３６によって、ベン
ト流路２２２から導入される空気または気体がフィルタの中心部分２３２から除去するろ
過済み液体の汚染が防止される。
【００２８】
フィルタアセンブリ２１０の構成は、また、流体の流れがアセンブリを通して逆転され
た場合にも、意図される流体フィルタと回収との機能を遂行することができる。この機能
形態においては、流出ポート２２０が流入ポートとして再割り当てされ、上流側ドレン流
路ポート２２６が下流側流出ポートとして再割り当てされる。下流側ベントポート２２２
は、主ろ過運転の間、閉状態に維持される。この方式で使用する場合は、（弁２２０ｖが
開いた状態で）ポート２２０に導入される流体は、中心部分２３２（あるいは、例えば中
空糸またはチューブ状材料から構成される場合はフィルタエレメントの管腔）に流入し、
半径方向の外向きにフィルタエレメント２３０を通過して内部容積部２２８に流入し、ポ
ート２２６を経由してフィルタアセンブリから処理済み流体として流出する。この機能形
態においては、流入部２１８は、流入弁２１８ｖを閉止することによって閉状態に維持さ
れる。目標とする流体量がアセンブリ２１０を通してろ過されると、流れを停止するため
に弁２２０ｖが閉じられる。
【００２９】
残存する未ろ過の流体（中心部分２３２内にある）を除去するために、気体供給ライン
をポート２２２に接続し、かつ弁２２２ｖを開いて、加圧気体を、（上流側ベント流路ポ
ートとして再割り当てされた）ベント流路ポート２２２からフィルタアセンブリの中に導
入する。再割り当てされた上流側ベント流路２２２は、その中にインラインフィルタ２３
６を含むことができ、そのフィルタ２３６によって、その再割り当てされた上流側ベント
流路２２２から導入される空気または気体がフィルタエレメント２３０を通して強制排除
する液体の汚染が防止される。残存する未ろ過の流体がフィルタエレメント２３０を通し
て強制排除され、処理済み流体としてポート２２６を経由してフィルタアセンブリから除
去されると、弁２２２ｖが閉じられる。フィルタアセンブリのこの機能逆転使用によって
、ろ過済みの流体が内部容積部２２８に残留することになり、上流側ベントポート２２４
を、弁２２４ｖを開くことによって操作状態になるパージポートまたは下流側ベント流路
ポートとして再割り当てすることができる。加圧気体を、再度、ポート２２４からフィル
タアセンブリの内部容積部２２８の中に導入し、ろ過済み流体を回収用としてポート２２
６からパージする。再割り当てされた下流側ベント流路２２４は、その中にインラインフ
ィルタ２２５を含むことができ、そのフィルタ２２５によって、その再割り当てされた下
流側ベント流路２２４から導入される空気または気体がポート２２６を経由してフィルタ
アセンブリから強制排除するろ過済み液体の汚染が防止される。パージ機能が完了して、
弁２２４ｖを閉じることによって加圧気体の導入が停止されると、別のフィルタサイクル
用として準備するために、弁２２６ｖを閉じることができる。
【００３０】
ここで図３を参照すると、本開示の別の態様において、液体回収フィルタアセンブリの
別の実施形態が、全体として３１０で示されている。フィルタアセンブリ３１０は、フィ
ルタアセンブリ２１０用として上記に開示したすべての構成要素およびエレメント、すな
わち、互いに反対側に配置される第１または上部の端部および第２または下部の端部３１
４および３１６であって、内部容積部３２８を画定する端部３１４および３１６を有する
フィルタハウジングまたは外殻体３１２と、その中に固定されるトロイダル形のフィルタ
エレメント３３０とを含む。フィルタエレメント３３０と、周囲のハウジングまたは外殻
体３１２とは、その間に上流側または流入側容積部３３４を画定する。フィルタエレメン
ト３３０は中空の中心部分３３２を有する。上流側ベント流路３２４および関連するその
弁３２４ｖは、外殻体３１２の上端部または流入端部３１４から延びており、反対側の上
流側または流入側ドレン流路３２６および関連するその弁３２６ｖは、フィルタハウジン
グまたは外殻体３１２の下部または下流側または流出側の端部３１６から延びている。
【００３１】
図２のフィルタアセンブリ２１０と図３のフィルタアセンブリ３１０との間の差異は、
そのそれぞれの流入および流出ポートまたは流路の方位にある。図３においては、上流側
または流入側のポートまたは流路３１８および関連するその弁３１８ｖが、フィルタハウ
ジングまたは外殻体３１２の上端部３１４から半径方向に延びていることが分かるであろ
う。下流側または流出側のポートまたは流路３２０および関連するその弁３２０ｖは、フ
ィルタハウジングまたは外殻体３１２の下端部または流出端部３１６から半径方向に、中
心部分３３２から延びている。この形態は、特定の処理システムにおいては、図２のフィ
ルタアセンブリ２１０のインライン形態より一層容易に搭載することができる。通常のろ
過運転の間、および、フィルタアセンブリ３１０のドレン排出またはパージの間における
フィルタアセンブリ３１０を通る液体の流れの径路は、フィルタアセンブリ２１０に関し
て前記に開示したものと本質的に同じである。
【００３２】
流出側ベント流路３２２と同一線上に固定される流出側ベント流路弁３２２ｖと、上流
側ベント流路弁３２４ｖと、上流側ドレン流路弁３２６ｖとは、通常のろ過運転の間、す
なわち、フィルタ３１０を通る流れを可能にするために上流側または流入側の弁および下
流側または流出側の弁３１８ｖおよび３２０ｖが開いている時には閉じられる。フィルタ
３１０からの液体のドレン排出またはパージは、フィルタアセンブリ２１０について上記
に開示したのと同じ方法で実行される。すなわち、流入弁３１８ｖを閉止し、上流側ベン
ト流路弁および上流側ドレン流路弁３２４ｖおよび３２６ｖを開いて、未ろ過の液体を、
フィルタエレメント３３０を通して、フィルタハウジング３１２の上流側容積部分３３４
から排出する。この場合、加圧気体が、上流側ベント流路３２４に装着されるインライン
フィルタ３２５を通過することができる。フィルタエレメント３３０を通してパージでき
る液体の全量が回収されると、フィルタハウジング３１２内ではあるが、フィルタエレメ
ント３３０の外側に残留するいかなる未ろ過の液体も、前記に開示した液体回収操作の場
合と同様に、相手側の上流側容積部ベント流路弁３２４ｖを開いた状態に維持して下部の
上流側容積部ドレン流路弁３２６ｖを開くことによって、フィルタアセンブリから除去す
ることができる。これによって、いかなる残留未ろ過液体も、フィルタハウジングまたは
外殻体３１２から自由に流出できる。続いて、上流側容積部ベント流路弁３２４ｖおよび
上流側容積部ドレン流路弁３２６ｖを閉止し、流出側ベント流路弁３２２ｖを開いて、残
留ろ過済み液体を、フィルタの中心部分３３２から排出またはパージまたはフラッシュで
きるようにする。下流側流体の無菌での回収を確保するため、流出側ベント流路３２２に
インラインフィルタ３３６が装着され、そのフィルタ３３６によって、ベント流路３２２
から導入される空気または気体がフィルタの中心部分３３２から除去するろ過済み液体の
汚染が防止される。
【００３３】
フィルタアセンブリ３１０の構成は、また、流体の流れがアセンブリを通して逆転され
た場合にも、意図される流体フィルタと回収との機能を遂行することができる。この機能
形態においては、流出ポート３２０が流入ポートとして再割り当てされ、上流側ドレン流
路ポート３２６が下流側流出ポートとして再割り当てされる。下流側ベントポート３２２
は、主ろ過運転の間、閉状態に維持される。この方式で使用する場合は、（弁３２０ｖが
開いた状態で）ポート３２０に導入される流体は、中心部分３３２（あるいは、例えば中
空糸またはチューブ状材料から構成される場合はフィルタエレメントの管腔）に流入し、
半径方向の外向きにフィルタエレメント３３０を通過して内部容積部３２８に流入し、ポ
ート３２６を経由してフィルタアセンブリから処理済み流体として流出する。この機能形
態においては、流入部３１８は、流入弁３１８ｖを閉止することによって閉状態に維持さ
れる。目標とする流体量がアセンブリ３１０を通してろ過されると、流れを停止するため
に弁３２０ｖが閉じられる。
【００３４】
残存する未ろ過の流体（中心部分３３２内にある）を除去するために、気体供給ライン
をポート３２２に接続し、かつ弁３２２ｖを開いて、加圧気体を、（上流側ベント流路ポ
ートとして再割り当てされた）ベント流路ポート３２２からフィルタアセンブリの中に導
入する。再割り当てされた上流側ベント流路３２２は、その中にインラインフィルタ３３
６を含むことができ、そのフィルタ３３６によって、その再割り当てされた上流側ベント
流路３２２から導入される空気または気体がフィルタエレメント３３０を通して強制排除
する液体の汚染が防止される。残存する未ろ過流体がフィルタエレメント３３０を通して
強制排除され、処理済み流体としてポート３２６を経由してフィルタアセンブリから除去
されると、弁３２２ｖが閉じられる。フィルタアセンブリのこの機能逆転使用によって、
ろ過済みの流体が内部容積部３２８に残留することになり、上流側ベントポート３２４を
、弁３２４ｖを開くことによって操作状態になるパージポートまたは下流側ベント流路ポ
ートとして再割り当てすることができる。加圧気体を、再度、ポート３２４からフィルタ
アセンブリの内部容積部３２８の中に導入し、ろ過済み流体を回収用としてポート３２６
からパージする。再割り当てされた下流側ベント流路３２４は、その中にインラインフィ
ルタ３２５を含むことができ、そのフィルタ３２５によって、その再割り当てされた下流
側ベント流路３２４から導入される空気または気体がポート３２６を経由してフィルタア
センブリから強制排除するろ過済み液体の汚染が防止される。パージ機能が完了して、弁
３２４ｖを閉じることによって加圧気体の導入が停止されると、別のフィルタサイクル用
として準備するために、弁３２６ｖを閉じることができる。
【００３５】
ここで図４を参照すると、液体回収フィルタアセンブリの別の実施形態が、全体として
４１０で示されている。フィルタアセンブリ４１０は、フィルタアセンブリ２１０および
３１０用として上記に開示したすべての構成要素およびエレメント、すなわち、互いに反
対側に配置される第１または上部の端部および第２または下部の端部４１４および４１６
であって、内部容積部４２８を画定する端部４１４および４１６を有するフィルタハウジ
ングまたは外殻体４１２と、その中に固定されるトロイダル形のフィルタエレメント４３
０とを含む。フィルタエレメント４３０と、周囲のハウジングまたは外殻体４１２とは、
その間に上流側または流入側容積部４３４を画定する。フィルタエレメント４３０は中空
の中心部分４３２を有する。上流側ベント流路４２４および関連するその弁４２４ｖは、
外殻体４１２の上端部または流入端部４１４から延びており、反対側の上流側または流入
側ドレン流路４２６および関連するその弁４２６ｖは、フィルタハウジングまたは外殻体
４１２の下部または下流側または流出側の端部４１６から延びている。
【００３６】
フィルタアセンブリ４１０は、フィルタアセンブリ２１０および３１０混合タイプと見
做すことができる。フィルタアセンブリ４１０の上流側または流入側の流路４１８は、フ
ィルタハウジングまたは外殻体４１２の上端部４１４から、フィルタアセンブリ３１０の
対応する構成要素３１８と基本的に同じ方位において半径方向に延びている。しかし、下
流側または流出側の流路４２０は、フィルタハウジング２１０の流出流路２２０の態様に
おいて、フィルタ外殻体４１２から同軸に延びている。この形態は、さらに別の搭載上の
選択肢を提供する。
【００３７】
通常のろ過運転の間、および、フィルタアセンブリ４１０のドレン排出またはパージの
間におけるフィルタアセンブリ４１０を通る液体の流れの径路は、フィルタアセンブリ２
１０および３１０に関して前記に開示したものと本質的に同じである。流出側ベント流路
４２２に接続される流出側ベント流路弁４２２ｖと、上流側ベント流路弁４２４ｖと、上
流側ドレン流路弁４２６ｖとは、通常のろ過運転の間、すなわち、フィルタアセンブリ４
１０を通る流れを可能にするためにそれぞれ上流側または流入側の弁および下流側または
流出側の弁４１８ｖおよび４２０ｖが開いている時には閉じられる。
【００３８】
フィルタ４１０からの液体のドレン排出またはパージは、フィルタアセンブリ２１０お
よび３１０について上記に開示したのと同じ方法で実行される。すなわち、流入弁４１８
ｖを閉止し、上流側ベント流路弁を開いて、加圧気体が、未ろ過の液体を、フィルタハウ
ジング４１２の上流側容積部分４３４からフィルタエレメント４３０を通して強制的に排
出できるようにする。この場合、加圧気体が、上流側ベント流路４２４に装着されるイン
ラインフィルタ４２５を通過することができる。フィルタエレメント４３０を通してパー
ジできる液体の全量が回収されると、フィルタハウジング４１２内でかつフィルタエレメ
ント４３０の外側に残留するいかなる未ろ過の液体も、前記に開示した液体回収操作の場
合と同様に、相手側の上流側容積部ベント流路弁４２４ｖを開いた状態に維持して下部の
上流側容積部ドレン流路弁４２６ｖを開くことによって、フィルタアセンブリから除去さ
れる。これによって、いかなる残留未ろ過液体も、フィルタハウジングまたは外殻体４１
２から自由に流出できる。続いて、上流側容積部ベント流路弁４２４ｖおよび上流側容積
部ドレン流路弁４２６ｖを閉止し、流出流路弁４２２ｖを開いて、残留ろ過済み液体を、
フィルタの中心部分４３２から排出またはパージまたはフラッシュできるようにする。下
流側流体の無菌での回収を確保するため、流出側ベント流路４２２にインラインフィルタ
４３６が装着され、そのフィルタ４３６によって、ベント流路４２２から導入される空気
または気体がフィルタの中心部分４３２から除去するろ過済み液体の汚染が防止される。
【００３９】
フィルタアセンブリ４１０の構成は、また、流体の流れがアセンブリを通して逆転され
た場合にも、意図される流体フィルタと回収との機能を遂行することができる。この機能
形態においては、流出ポート４２０が流入ポートとして再割り当てされ、上流側ドレン流
路ポート４２６が下流側流出ポートとして再割り当てされる。下流側ベントポート４２２
は、主ろ過運転の間、閉状態に維持される。この方式で使用する場合は、（弁４２０ｖが
開いた状態で）ポート４２０に導入される流体は、中心部分４３２（あるいは、例えば中
空糸またはチューブ状材料から構成される場合はフィルタエレメントの管腔）に流入し、
半径方向の外向きにフィルタエレメント４３０を通過して内部容積部４２８に流入し、ポ
ート４２６を経由してフィルタアセンブリから処理済み流体として流出する。この機能形
態においては、流入部４１８は、流入弁４１８ｖを閉止することによって閉状態に維持さ
れる。目標とする流体量がアセンブリ４１０を通してろ過されると、流れを停止するため
に弁４２０ｖが閉じられる。
【００４０】
残存する未ろ過の流体（中心部分４３２内にある）を除去するために、気体供給ライン
をポート４２２に接続し、かつ弁４２２ｖを開いて、加圧気体を、（上流側ベント流路ポ
ートとして再割り当てされた）ベント流路ポート４２２からフィルタアセンブリの中に導
入する。再割り当てされた上流側ベント流路４２２は、その中にインラインフィルタ４３
６を含むことができ、そのフィルタ４３６によって、その再割り当てされた上流側ベント
流路４２２から導入される空気または気体がフィルタエレメント４３０を通して強制排除
する液体の汚染が防止される。残存する未ろ過流体がフィルタエレメント４３０を通して
強制排除され、処理済み流体としてポート４２６を経由してフィルタアセンブリから除去
されると、弁４２２ｖが閉じられる。フィルタアセンブリのこの機能逆転使用によって、
ろ過済みの流体が内部容積部４２８に残留することになり、上流側ベントポート４２４を
、弁４２４ｖを開くことによって操作状態になるパージポートまたは下流側ベント流路ポ
ートとして再割り当てすることができる。加圧気体を、再度、ポート４２４からフィルタ
アセンブリの内部容積部４２８の中に導入し、ろ過済み流体を回収用としてポート４２６
からパージする。再割り当てされた下流側ベント流路４２４は、その中にインラインフィ
ルタ４２５を含むことができ、そのフィルタ４２５によって、その再割り当てされた下流
側ベント流路４２４から導入される空気または気体がポート４２６を経由してフィルタア
センブリから強制排除するろ過済み液体の汚染が防止される。パージ機能が完了して、弁
４２４ｖを閉じることによって加圧気体の導入が停止されると、別のフィルタサイクル用
として準備するために、弁４２６ｖを閉じることができる。
【００４１】
ここで図５および図６を参照すると、液体回収フィルタアセンブリの追加的な実施形態
が、それぞれ、全体として５１０および６１０で示されている。図５および図６のそれぞ
れのフィルタの実施形態は、フィルタエレメントの下流側または流出側の中心部分の容積
部と連通する付加的なドレン流路またはポートを含むことが分かるであろう。これは、下
流側または流出側の流路を、フィルタの中心部分から離して、フィルタハウジング内にお
いて相対的に高い位置に配置することによるものである。
【００４２】
図５は、上記に簡単に記述した付加的なドレン流路を有する液体回収フィルタアセンブ
リ５１０を示す。フィルタアセンブリ５１０は、ほとんどの部分について、フィルタアセ
ンブリ２１０〜４１０に関して上記に開示したものに対応する構成要素、すなわち、互い
に反対側に配置されるそれぞれ第１または上部の端部および第２または下部の端部５１４
および５１６であって、内部容積部５２８を画定する端部５１４および５１６を有するフ
ィルタハウジングまたは外殻体５１２と、その中に固定されるトロイダル形のフィルタエ
レメント５３０とを含む。フィルタエレメント５３０と、周囲のハウジングまたは外殻体
５１２とは、その間に上流側または流入側容積部５３４を画定する。フィルタエレメント
５３０は中空の中心部分５３２を有する。上流側ベント流路５２４および関連するその弁
５２４ｖは、外殻体５１２の上端部または流入端部５１４から延びており、反対側の上流
側または流入側ドレン流路５２６および関連するその弁５２６ｖは、フィルタハウジング
または外殻体５１２の下部または下流側または流出側の端部５１６から半径方向に延びて
いる。
【００４３】
下流側または流出側の流路またはポート５２０がフィルタハウジングまたは外殻体５１
２の上端部５１４から実質的に半径方向に延びる配置によって、フィルタアセンブリ５１
０を通過する液体が、フィルタから流出するためには、フィルタの中心部分５３２の下部
部分から上方に流れることが必要である。その他の点では、フィルタアセンブリ５１０を
通過する液体の流れは、他のフィルタアセンブリの実施形態に関して上記に開示したもの
と実質的に同様である。すなわち、流出側ベント流路弁５２２ｖと、上流側ベント流路弁
５２４ｖと、上流側ドレン流路弁５２６ｖとが通常のろ過運転の間閉じられ、それぞれ上
流側または流入側の弁および下流側または流出側の弁５１８ｖおよび５２０ｖが、フィル
タアセンブリ５１０を通る流れを可能にするために開かれる。しかし、６番目のポートま
たは流路５３８および関連するその弁５３８ｖが、フィルタの中心部分５３２と流体連通
してフィルタの外殻体またはハウジング５１２の下端部５１６から延びていることが分か
るであろう。ポートまたは流路５３８は、フィルタの中心部分５３２からドレン排出する
ための流出側ドレン流路として機能する。その弁５３８ｖは、通常のろ過運転の間、閉じ
られなければならない。通常のろ過運転の間の液体の流れは、最初に、フィルタのハウジ
ングまたは外殻体５１２の上端部５１４において半径方向に配置された上流側または流入
側の流路５１８と、通常開のその弁５１８ｖとを通過し、フィルタのハウジングまたは外
殻体５１２とフィルタエレメント５３０との間の内部容積部５３４に流入する。液体は、
続いて、フィルタエレメント５３０を通過してフィルタの中心部分５３２に流入し、そこ
で上方に流れて、フィルタのハウジングまたは外殻体５１２の上端部５１４において半径
方向に配置された下流側または流出側の流路５２０と、通常開のその弁５２０ｖとを通っ
て、中心部分５３２から流出する。
【００４４】
フィルタアセンブリ５１０からの液体のドレン排出またはパージは、他のフィルタアセ
ンブリの実施形態について上記に開示したのと類似の手順で実施されるが、上方に配置さ
れた流出流路５２０が存在するために若干の相違点がある。流入弁５１８ｖを閉じ、上流
側ベント流路弁５２４ｖを開いて、加圧気体が、未ろ過の液体を、フィルタハウジング５
１２の上流側容積部分５３４からフィルタエレメント５３０を通して強制排出し得るよう
にする。加圧気体は、上流側ベント流路５２４に装着されるインラインフィルタ５２５を
通過することができる。
【００４５】
フィルタエレメント５３０を通してパージできる液体がすべて回収されてしまうと、フ
ィルタハウジング５１２内のフィルタエレメント５３０の外側のいかなる残留未ろ過の液
体も、前記に開示した液体の回収操作の場合と同様に、相手側の上流側容積部ベント流路
弁５２４ｖを開状態に維持したまま下部の上流側容積部ドレン流路弁５２６ｖを開くこと
によって、フィルタハウジングから除去される。これによって、いかなる残留未ろ過の液
体もフィルタのハウジングまたは外殻体５１２から自由に流出できる。続いて、上流側容
積部ベント流路弁５２４ｖおよび上流側容積部ドレン流路弁５２６ｖを閉じて、流出側ベ
ント流路弁５２２ｖを開き、残留ろ過済み液体を、フィルタの中心部分５３２から排出ま
たはパージまたはフラッシュできるようにする。下流側流体の無菌での回収を確保するた
め、流出側ベント流路５２２にインラインフィルタ５３６が装着され、そのフィルタ５３
６によって、ベント流路５２２から導入される空気または気体がフィルタの中心部分５３
２から除去するろ過済み液体の汚染が防止される。しかし、下流側または流出側の流路５
２０の位置が高いために、ベント流路５２２からのパージ気体の導入によってはフィルタ
の中心部分５３２から液体をフラッシュできないことが分かるであろう。従って、流出流
路弁５２０ｖを閉じ、フィルタの中心部分５３２と流体連通する流出側ドレン流路弁５３
８ｖを開いて、フィルタの中心部分５３２内に含有されるいかなる液体も、下方に、すな
わち通常のろ過運転の間の液体の流れの方向とは逆方向に流下して、流出側ドレン流路５
３８および関連するその弁５３８ｖを通って流出できるようにする。
【００４６】
フィルタアセンブリ５１０の構成は、また、流体の流れがアセンブリを通して逆転され
た場合にも、意図される流体フィルタと回収との機能を遂行することができる。この機能
形態においては、流出ポート５２０が流入ポートとして再割り当てされ、上流側ドレン流
路ポート５２６が下流側流出ポートとして再割り当てされる。下流側ベントポート５２２
は、主ろ過運転の間、閉状態に維持される。この方式で使用する場合は、（弁５２０ｖが
開いた状態で）ポート５２０に導入される流体は、中心部分５３２（あるいは、例えば中
空糸またはチューブ状材料から構成される場合はフィルタエレメントの管腔）に流入し、
半径方向の外向きにフィルタエレメント５３０を通過して内部容積部５２８に流入し、ポ
ート５２６を経由してフィルタアセンブリから処理済み流体として流出する。この機能形
態においては、流入部５１８は、流入弁５１８ｖを閉止することによって閉状態に維持さ
れ、さらに、ポート５３８も、流入弁５３８ｖを閉止することによって閉状態に維持され
る。目標とする流体量がアセンブリ５１０を通してろ過されると、流れを停止するために
弁５２０ｖが閉じられる。
【００４７】
残存する未ろ過の流体（中心部分５３２内にある）を除去するために、気体供給ライン
をポート５２２に接続し、かつ弁５２２ｖを開いて、加圧気体を、（上流側ベント流路ポ
ートとして再割り当てされた）ベント流路ポート５２２からフィルタアセンブリの中に導
入する。再割り当てされた上流側ベント流路５２２は、その中にインラインフィルタ５３
６を含むことができ、そのフィルタ５３６によって、その再割り当てされた上流側ベント
流路５２２から導入される空気または気体がフィルタエレメント５３０を通して強制排除
する液体の汚染が防止される。残存する未ろ過流体がフィルタエレメント５３０を通して
強制排除され、処理済み流体としてポート５２６を経由してフィルタアセンブリから除去
されると、弁５２２ｖが閉じられる。フィルタアセンブリのこの機能逆転使用によって、
ろ過済み流体が内部容積部５２８に残留することになり、上流側ベントポート５２４を、
弁５２４ｖを開くことによって操作状態になるパージポートまたは下流側ベント流路ポー
トとして再割り当てすることができる。加圧気体を、再度、ポート５２４からフィルタア
センブリの内部容積部５２８の中に導入し、ろ過済み流体を回収用としてポート５２６か
らパージする。再割り当てされた下流側ベント流路５２４は、その中にインラインフィル
タ５２５を含むことができ、そのフィルタ５２５によって、その再割り当てされた下流側
ベント流路５２４から導入される空気または気体がポート５２６を経由してフィルタアセ
ンブリから強制排除するろ過済み液体の汚染が防止される。パージ機能が完了して、弁５
２４ｖを閉じることによって加圧気体の導入が停止されると、別のフィルタサイクル用と
して準備するために、弁５２６ｖを閉じることができる。
【００４８】
ここで図６を参照すると、全体として６１０で示される液体回収フィルタアセンブリの
さらに別の態様が、フィルタアセンブリ５１０と同様の構成を有する。すなわち、ハウジ
ングまたは外殻体６１２の上端部分６１４から半径方向に延びるフィルタ流出流路を備え
ている。フィルタアセンブリ６１０は、フィルタアセンブリ５１０に関して上記に開示し
たものに対応する構成要素、すなわち、互いに反対側に配置されるそれぞれ第１または上
部の端部および第２または下部の端部６１４および６１６であって、内部容積部６２８を
画定する端部６１４および６１６を有するフィルタハウジングまたは外殻体６１２と、そ
の中に固定されるトロイダル形のフィルタエレメント６３０とを含む。フィルタエレメン
ト６３０と、周囲のハウジングまたは外殻体６１２とは、その間に上流側または流入側容
積部６３４を画定する。フィルタエレメント６３０は中空の中心部分６３２を有する。上
流側ベント流路６２４および関連するその弁６２４ｖは、外殻体６１２の上端部または流
入端部６１４から延びており、反対側の上流側または流入側ドレン流路６２６および関連
するその弁６２６ｖは、フィルタハウジングまたは外殻体６１２の下部または下流側また
は流出側の端部６１６から半径方向に延びている。
【００４９】
フィルタハウジング６１０を通る液体の流れは、基本的に、フィルタアセンブリ５１０
に関して上記に開示したものと同様である。流出側ベント流路６２２に接続される流出側
ベント流路弁６２２ｖと、上流側ベント流路弁６２４ｖと、上流側ドレン流路弁６２６ｖ
とは、通常のろ過運転の間には閉じられ、それぞれ上流側または流入側の弁および下流側
または流出側の弁６１８ｖおよび６２０ｖは、フィルタアセンブリ６１０を通る流れを可
能にするために開かれる。通常のろ過運転の間には流出側ドレン流路弁６３８ｖも閉じら
れる。通常のろ過運転の間の液体の流れは、最初に、フィルタのハウジングまたは外殻体
６１２の下端部６１６において半径方向に配置された上流側または流入側の流路６１８と
、通常開のその弁６１８ｖとを通過し、続いて、フィルタのハウジングまたは外殻体６１
２とフィルタエレメント６３０との間の内部容積部６３４に流入する。液体は、次に、フ
ィルタエレメント６３０を通過してフィルタの中心部分６３２に流入し、そこで上方に流
れて、フィルタのハウジングまたは外殻体６１２の上端部６１４において半径方向に配置
された下流側または流出側の流路６２０と、通常開のその弁６２０ｖとを通って、中心部
分６３２から流出する。
【００５０】
フィルタ６１０からの液体のドレン排出またはパージは、液体回収フィルタアセンブリ
５１０について上記に開示した場合と基本的に同様に実施される。流入弁６１８ｖを閉じ
、上流側ベント流路弁６２４ｖを開いて、加圧気体が、未ろ過の液体を、フィルタハウジ
ング６１２ｖの上流側容積部分６３４からフィルタエレメント６３０を通して強制排出し
得るようにする。加圧気体は、上流側ベント流路６２４に装着されるインラインフィルタ
６２５を通過することができる。
【００５１】
フィルタエレメント６３０を通してパージできる液体がすべて回収されてしまうと、フ
ィルタハウジング６１２内のフィルタエレメント６３０の外側のいかなる残留未ろ過の液
体も、前記に開示した液体の回収操作の場合と同様に、相手側の上流側容積部ベント流路
弁６２４ｖを開状態に維持したまま下部の上流側容積部ドレン流路弁６２６ｖを開くこと
によって、フィルタハウジングから除去される。これによって、いかなる残留未ろ過の液
体もフィルタのハウジングまたは外殻体６１２から自由に流出できる。続いて、上流側容
積部ベント流路弁６２４ｖおよび上流側容積部ドレン流路弁６２６ｖを閉じて、流出側ベ
ント流路弁６２２ｖを開き、残留ろ過済み液体を、フィルタの中心部分６３２から排出ま
たはパージまたはフラッシュできるようにする。下流側流体の無菌での回収を確保するた
め、流出側ベント流路６２２にインラインフィルタ６３６が装着され、そのフィルタ６３
６によって、ベント流路６２２から導入される空気または気体がフィルタの中心部分６３
２から除去するろ過済み液体の汚染が防止される。しかし、下流側または流出側の流路６
２０の位置が高いために、ベント流路６２２からのパージ気体の導入によってはフィルタ
の中心部分６３２から液体をフラッシュできないことが分かるであろう。従って、流出流
路弁６２０ｖを閉じ、フィルタの中心部分６３２と流体連通する流出側ドレン流路弁６３
８ｖを開いて、フィルタの中心部分６３２内に含有されるいかなる液体も、下方に、すな
わち通常のろ過運転の間の液体の流れの方向とは逆方向に流下して、流出側ドレン流路６
３８および関連するその弁６３８ｖを通って流出できるようにする。
【００５２】
フィルタアセンブリ６１０の構成は、また、流体の流れがアセンブリを通して逆転され
た場合にも、意図される流体フィルタと回収との機能を遂行することができる。この機能
形態においては、流出ポート６２０が流入ポートとして再割り当てされ、上流側ドレン流
路ポート６２６が下流側流出ポートとして再割り当てされる。下流側ベントポート６２２
は、主ろ過運転の間、閉状態に維持される。この方式で使用する場合は、（弁２２０ｖが
開いた状態で）ポート６２０に導入される流体は、中心部分６３２（あるいは、例えば中
空糸またはチューブ状材料から構成される場合はフィルタエレメントの管腔）に流入し、
半径方向の外向きにフィルタエレメント６３０を通過して内部容積部６２８に流入し、ポ
ート６２６を経由してフィルタアセンブリから処理済み流体として流出する。この機能形
態においては、流入部６１８は、流入弁６１８ｖを閉止することによって閉状態に維持さ
れ、さらに、ポート６３８も、流入弁６３８ｖを閉止することによって閉状態に維持され
る。目標とする流体量がアセンブリ６１０を通してろ過されると、流れを停止するために
弁６２０ｖが閉じられる。
【００５３】
残存する未ろ過の流体（中心部分６３２内にある）を除去するために、気体供給ライン
をポート６２２に接続し、かつ弁６２２ｖを開いて、加圧気体を、（上流側ベント流路ポ
ートとして再割り当てされた）ベント流路ポート６２２からフィルタアセンブリの中に導
入する。再割り当てされた上流側ベント流路６２２は、その中にインラインフィルタ６３
６を含むことができ、そのフィルタ６３６によって、その再割り当てされた上流側ベント
流路６２２から導入される空気または気体がフィルタエレメント６３０を通して強制排除
する液体の汚染が防止される。残存する未ろ過流体がフィルタエレメント６３０を通して
強制排除され、処理済み流体としてポート６２６を経由してフィルタアセンブリから除去
されると、弁６２２ｖが閉じられる。フィルタアセンブリのこの機能逆転使用によって、
ろ過済み流体が内部容積部６２８に残留することになり、上流側ベントポート６２４を、
弁６２４ｖを開くことによって操作状態になるパージポートまたは下流側ベント流路ポー
トとして再割り当てすることができる。加圧気体を、再度、ポート６２４からフィルタア
センブリの内部容積部６２８の中に導入し、ろ過済み流体を回収用としてポート６２６か
らパージする。再割り当てされた下流側ベント流路６２４は、その中にインラインフィル
タ６２５を含むことができ、そのフィルタ６２５によって、その再割り当てされた下流側
ベント流路６２４から導入される空気または気体がポート６２６を経由してフィルタアセ
ンブリから強制排除するろ過済み液体の汚染が防止される。パージ機能が完了して、弁６
２４ｖを閉じることによって加圧気体の導入が停止されると、別のフィルタサイクル用と
して準備するために、弁６２６ｖを閉じることができる。
【００５４】
以上により、本開示の液体回収フィルタ装置の種々の実施形態が、特に製薬産業並びに
他の産業におけるろ過運転において用いられる高価な液体を回収するための有効な手段を
提供する。図面に例示的に表現され、かつ本明細書において開示された種々の流入および
流出流路またはポートの種々の軸方向および半径方向の形態は、単に例示的なものである
こと、および、これらのポートまたは流路の種々の他の配置が、フィルタのハウジングま
たは外殻体から液体を排出または除去するための手段、特に、ろ過済みの液体をフィルタ
の中心部分から排出または除去するための手段を提供する本開示の考察の範囲内にあるこ
とが理解されるべきである。
【００５５】
本開示は、本明細書に開示された実施形態に限定されず、以下の特許請求の範囲内の任
意のかつすべての実施形態およびその均等物を包括することが理解されるべきである。出
願人が、新規なものとして特許請求し、かつ、特許状による保護を希望する特許請求の範
囲は以下のとおりである。
【図１】
2018058061.tif 000003
【図２】
2018058061.tif 000004
【図３】
2018058061.tif 000005
【図４】
2018058061.tif 000006
【図５】
2018058061.tif 000007
【図６】
2018058061.tif 000008
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
液体回収フィルタにおいて、
上端部と、前記上端部と反対側の下端部と、前記上端部および前記下端部の間に延びる円筒状の外壁体とを有するフィルタの外殻体であって、内部の容積部を画定する外殻体と、
前記フィルタの外殻体の内部に配置されるフィルタエレメントであって、前記外殻体と前記フィルタエレメントとの間に形成される間隙が、前記内部の容積部の上流側部分を画定し、前記フィルタエレメントは、流入側と、下流側部分を画定する流出側中心部分とを有し、前記フィルタエレメントの前記流入側は前記上流側部分と流体連通する、フィルタエレメントと、
前記フィルタの外殻体を実質的に半径方向に貫通して配置される流入流路であって、前記上流側部分と流体連通する流入流路と、
前記フィルタの外殻体を実質的に半径方向に貫通して前記流入流路の実質的に反対側に配置される流出流路であって、前記フィルタエレメントの前記流出側中心部分と流体連通する流出流路と、
前記フィルタの外殻体を貫通して配置される下流側ベント流路ポート／パージポートであって、前記フィルタエレメントの前記流出側中心部分および下流側部分と流体連通する下流側ベント流路ポート／パージポートと、
前記下流側ベント流路ポート／パージポートに配置されるインライン気体フィルタであって、前記フィルタエレメントにおける処理済み液体のろ過後に前記下流側部分に保持された処理済み液体をパージするために、前記ベント流路ポート／パージポートを通り前記下流側部分に気体の無菌導入を可能とする、インライン気体フィルタと、
を含むことを特徴とする液体回収フィルタ。
【請求項２】
前記下流側ベント流路ポート／パージポートが前記フィルタの外殻体の上端部を貫通して配置されることを特徴とする請求項１に記載の液体回収フィルタ。
【請求項３】
前記フィルタの外殻体を貫通して配置される流出側ドレン流路をさらに含み、前記流出側ドレン流路が前記フィルタエレメントの前記流出側中心部分と流体連通することを特徴とする請求項１に記載の液体回収フィルタ。
【請求項４】
前記流出側ドレン流路が前記フィルタの外殻体の下端部を貫通して配置されていることを特徴とする請求項３に記載の液体回収フィルタ。
【請求項５】
前記フィルタの外殻体を貫通して配置される上流側ベント流路をさらに含み、前記上流側ベント流路が前記上流側部分と流体連通することを特徴とする請求項３に記載の液体回収フィルタ。
【請求項６】
前記フィルタの外殻体を貫通して配置される上流側ベント流路をさらに含み、前記上流側ベント流路が前記上流側部分と流体連通することを特徴とする請求項１に記載の液体回収フィルタ。
【請求項７】
前記フィルタの外殻体を貫通して配置される上流側ドレン流路をさらに含み、前記上流側ドレン流路が前記上流側部分と流体連通することを特徴とする請求項６に記載の液体回収フィルタ。
【請求項８】
前記フィルタの外殻体を貫通して配置される上流側ドレン流路をさらに含み、前記上流側ドレン流路が前記上流側部分と流体連通することを特徴とする請求項１に記載の液体回収フィルタ。
【請求項９】
前記フィルタの外殻体を貫通して配置される上流側ドレン流路をさらに含み、前記上流側ドレン流路が前記上流側部分と流体連通し、
前記フィルタの外殻体を貫通して配置される上流側ベント流路をさらに含み、前記上流側ベント流路が前記上流側部分と流体連通し、
前記フィルタの外殻体を貫通して配置される流出側ドレン流路をさらに含み、前記流出側ドレン流路が前記フィルタエレメントの前記流出側中心部分と流体連通することを特徴とする請求項１に記載の液体回収フィルタ。
【請求項１０】
前記上流側ベント流路に配置されるインライン気体フィルタをさらに含むことを特徴とする請求項６に記載の液体回収フィルタ。
【請求項１１】
液体回収フィルタにおいて、
上端部と、前記上端部と反対側の下端部と、前記上端部および前記下端部の間に延びる円筒状の外壁体とを有するフィルタの外殻体であって、内部の容積部を画定する外殻体と、
前記フィルタの外殻体の内部に配置されるフィルタエレメントであって、前記外殻体と前記フィルタエレメントとの間に形成される間隙が、前記内部の容積部の上流側部分を画定し、前記フィルタエレメントは、流入側と、下流側部分を画定する流出側中心部分とを有し、前記フィルタエレメントの前記流入側は前記上流側部分と流体連通する、フィルタエレメントと、
前記フィルタの外殻体の前記下端部を実質的に半径方向に貫通して配置される流入流路であって、前記上流側部分と流体連通する流入流路と、
前記フィルタの外殻体の前記上端部を実質的に半径方向に貫通して前記流入流路の略正反対に配置される流出流路であって、前記フィルタエレメントの前記流出側中心部分と流体連通する流出流路と、
前記フィルタの外殻体を貫通して配置される下流側ベント流路ポート／パージポートであって、前記フィルタエレメントの前記流出側中心部分および下流側部分と流体連通する下流側ベント流路ポート／パージポートと、
前記下流側ベント流路ポート／パージポートに配置されるインライン気体フィルタであって、前記フィルタエレメントにおける処理済み液体のろ過後に前記下流側部分に保持された処理済み液体をパージするために、前記ベント流路ポート／パージポートを通り前記下流側部分に気体の無菌導入を可能とする、インライン気体フィルタと、
を含むことを特徴とする液体回収フィルタ。
【請求項１２】
前記下流側ベント流路ポート／パージポートは前記外殻体の上端部を貫通して配置されていることを特徴とする請求項１１に記載の液体回収フィルタ。
【請求項１３】
前記外殻体を貫通して配置されている流出側ドレン流路をさらに含み、前記流出側ドレン流路が前記フィルタエレメントの前記流出側中心部分と流体連通することを特徴とする請求項１１に記載の液体回収フィルタ。
【請求項１４】
前記流出側ドレン流路が前記フィルタエレメントの前記下端部を貫通して配置されていることを特徴とする請求項１３に記載の液体回収フィルタ。
【請求項１５】
前記フィルタの外殻体を貫通して配置されている上流側ベント流路をさらに含み、前記上流側ベント流路が前記上流側部分と流体連通することを特徴とする請求項１３に記載の液体回収フィルタ。
【請求項１６】
前記フィルタの外殻体を貫通して配置されている上流側ベント流路をさらに含み、前記上流側ベント流路が前記上流側部分と流体連通することを特徴とする請求項１１に記載の液体回収フィルタ。
【請求項１７】
前記フィルタの外殻体を貫通して配置されている上流側ドレン流路をさらに含み、前記上流側ドレン流路が前記上流側部分と流体連通することを特徴とする請求項１６に記載の液体回収フィルタ。
【請求項１８】
前記フィルタの外殻体を貫通して配置されている上流側ドレン流路をさらに含み、前記上流側ドレン流路が前記上流側部分と流体連通することを特徴とする請求項１１に記載の液体回収フィルタ。
【請求項１９】
前記フィルタの外殻体を貫通して配置される上流側ドレン流路をさらに含み、前記上流側ドレン流路が前記上流側部分と流体連通し、
前記フィルタの外殻体を貫通して配置される上流側ベント流路をさらに含み、前記上流側ベント流路が前記上流側部分と流体連通し、
前記フィルタの外殻体を貫通して配置される流出側ドレン流路をさらに含み、前記流出側ドレン流路が前記フィルタエレメントの前記流出側中心部分と流体連通することを特徴とする請求項１１に記載の液体回収フィルタ。
【請求項２０】
前記上流側ベント流路に配置されるインライン気体フィルタをさらに含むことを特徴とする請求項１６に記載の液体回収フィルタ。
【外国語明細書】
2018058061000001.pdf